(57)【要約】　　　（修正有）【課題】使用目的の選択肢を広げ、適度な運動で効率的に運動効果を得ることができる足踏み健康器を提供することを目的とする。【解決手段】上記課題を解決するため、踏み板１１，１２が、使用者に踏まれて上下に往復移動するとき、可動管１４は同時に軸ロッド１６１を軸として回転し、可動管下方のスウィングアーム１７も同調して可動管を軸として往復スウィングする反面、スウィングアーム底端は連動ロッド３０の一端に枢軸固定され、連動ロッドの他端は基座１０の固定部１８に枢軸固定されている為、反作用により可動管端部が、枢軸回転管１６を中心として左右にスウィングする構造により、足踏み動作に回転スウィングを加えた垂直及び水平方向の立体的動作形式を具備する構成とされる。【選択図】　　　図１
0003097994.tif 000002
【実用新案登録請求の範囲】
【請求項１】
１つの基座を有し、上記基座は上部の左右それぞれに踏み板を有し、２つの上記踏み板は、それぞれＶ型の支柱アームにより１つの可動管上に固定設置され、上記可動管を支点として相対的に垂直方向に回転スウィング可能であり、ストッパーを組み込むことで上記踏み板を踏むとき、予設の抵抗力を具備し、
上記可動管は、上記基座上に垂直に設置される１つの枢軸回転管の１つの側から水平方向に伸びる軸ロッドに枢軸設置されることにより回転可能となり、上記軸ロッドが挿入される側の反対の側に可動管端部を有し、上記可動管端部の側の下端に下向きに設置される１つのスウィングアームを有し、上記スウィングアーム底端は１つの第一全方向枢軸結合アセンブリにより、１つの連動ロッドの一端と広範囲の連結角度で枢軸連結され、上記連動ロッドは上記可動管の軸方向と直角に設置され、上記連動ロッドの他端は１つの第二全方向枢軸結合アセンブリにより、上記基座上にある１つの固定部と枢軸連結され、
上記踏み板が、使用者に踏まれて上下に往復移動するとき、上記可動管は同時に上記軸ロッドを軸として回転し、上記可動管下方の上記スウィングアームも同調して上記可動管を軸として往復スウィングする反面、上記スウィングアーム底端は上記連動ロッドの一端に枢軸固定され、上記連動ロッドの他端は上記基座の上記固定部に枢軸固定されている為、反作用により上記可動管端部が、上記枢軸回転管を中心として左右にスウィングする構造により、足踏み動作に回転スウィングを加えた垂直及び水平方向の立体的動作形式を具備することを特徴とする足踏み健康器。
【請求項２】
上記枢軸回転管は、底端に１つの細径部を有し、上記細径部は底端面に１つのネジ穴を有し、上記基座の中央に１つの座管が垂直方向に設置され、上記座管内に少なくとも１つ以上のベアリングが設置され、上記枢軸回転管の上記細径部は上記座管の上記ベアリング内に嵌入可能であり、１つのボルトをワッシャー及び上記座管内の上記ベアリングに貫通させ、上記ネジ穴とネジ結合させて上記枢軸回転管を上記基座上に設置、且つ、安定回転させることを特徴とする請求項１記載の足踏み健康器。
【請求項３】
上記枢軸回転管は上記軸ロッドが設置される下方に間隔を開けて、１つのＴ型ロッドを設置し、上記Ｔ型ロッドと上記軸ロッドの間に１つの補強プレートを設置し、上記補強プレートと上記Ｔ型ロッドのそれぞれの両端の相対する適当な位置に設置孔を設け、上記ストッパーの下端を上記設置孔と上記設置孔の間に設置し、ボルトにより枢軸固定することを特徴とする請求項１又は２記載の足踏み健康器。
【請求項４】
上記枢軸回転管は、上端に１つのハンドルロッドを有することを特徴とする請求項１乃至３いずれか一項記載の足踏み健康器。
【考案の詳細な説明】
【０００１】
【考案の属する技術分野】
本考案は足踏み健康器に係るものであり、特に、使用者が２つの踏み板を交互に踏む動作を行なう時、踏み板が垂直方向の上下往復移動を行なうと同時に、水平方向にスウィングする構造の立体的動作形式を具備する足踏み健康器に係るものである。
【０００２】
【従来の技術】
従来の足踏み健康器は、使用者が足踏み動作に似た動作を行なうことができるよう、使用者を補助し、健康トレーニングの目的を達成することができるように設計された運動器材の一種である。従来の足踏み健康器は多少の構造の違いはあるものの、基本的にはすべて踏み板が上下方向に往復動作できるだけであり、創意工夫のある器材を開発するまでには至っていない。従って、従来の足踏み健康器において、空間形態及び作動方式を一歩前進させた創意工夫のある足踏み健康器の構造の開発が進んでいる。
【０００３】
【考案が解決しようとする課題】
しかしながら、上記のように従来の足踏み健康器は、上下方向に往復動作を行う単調な運動であるため、使用目的が狭まり、消費者にとっても使用目的の選択肢が非常に少なくなってしまうという問題点があった。
【０００４】
また、従来の足踏み健康器は上下往復動作のみであるため、使用者は上下運動の効果しか得ることができず、効率的に運動効果を得るのは難しいという問題点があった。
【０００５】
本考案は、足踏み健康器において、使用目的の選択肢を広げ、適度な運動で効率的に運動効果を得ることができる足踏み健康器を提供することを目的とする。
【０００６】
【課題を解決するための手段】
前記の目的を図るために、本考案は、１つの基座を有し、上記基座は上部の左右それぞれに踏み板を有し、２つの上記踏み板は、それぞれＶ型の支柱アームにより１つの可動管上に固定設置され、上記可動管を支点として相対的に垂直方向に回転スウィング可能であり、ストッパーを組み込むことで上記踏み板を踏むとき、予設の抵抗力を具備し、
上記可動管は、上記基座上に垂直に設置される１つの枢軸回転管の１つの側から水平方向に伸びる軸ロッドに枢軸設置されることにより回転可能となり、上記軸ロッドが挿入される側の反対の側に可動管端部を有し、上記可動管端部の側の下端に下向きに設置される１つのスウィングアームを有し、上記スウィングアーム底端は１つの第一全方向枢軸結合アセンブリにより、１つの連動ロッドの一端と広範囲の連結角度で枢軸連結され、上記連動ロッドは上記可動管の軸方向と直角に設置され、上記連動ロッドの他端は１つの第二全方向枢軸結合アセンブリにより、上記基座上にある１つの固定部と枢軸連結され、
上記踏み板が、使用者に踏まれて上下に往復移動するとき、上記可動管は同時に上記軸ロッドを軸として回転し、上記可動管下方の上記スウィングアームも同調して上記可動管を軸として往復スウィングする反面、上記スウィングアーム底端は上記連動ロッドの一端に枢軸固定され、上記連動ロッドの他端は上記基座の上記固定部に枢軸固定されている為、反作用により上記可動管端部が、上記枢軸回転管を中心として左右にスウィングする構造により、足踏み動作に回転スウィングを加えた垂直及び水平方向の立体的動作形式を具備することにより、使用目的の選択肢を広げ、適度な運動で効率的に運動効果を得ることができる。
【０００７】
また、前記の目的を図るために、本考案は、上記枢軸回転管は、底端に１つの細径部を有し、上記細径部は底端面に１つのネジ穴を有し、上記基座の中央に１つの座管が垂直方向に設置され、上記座管内に少なくとも１つ以上のベアリングが設置され、上記枢軸回転管の上記細径部は上記座管の上記ベアリング内に嵌入可能であり、１つのボルトをワッシャー及び上記座管内の上記ベアリングに貫通させ、上記ネジ穴とネジ結合させて上記枢軸回転管を上記基座上に設置、且つ、安定回転させることにより、機能性を向上させ、適度な運動で効率的に運動効果を得ることができる。
【０００８】
また、前記の目的を図るために、本考案は、上記枢軸回転管は上記軸ロッドが設置される下方に間隔を開けて、１つのＴ型ロッドを設置し、上記Ｔ型ロッドと上記軸ロッドの間に１つの補強プレートを設置し、上記補強プレートと上記Ｔ型ロッドのそれぞれの両端の相対する適当な位置に設置孔を設け、上記ストッパーの下端を上記設置孔と上記設置孔の間に設置し、ボルトにより枢軸固定することにより、機能性を向上させ、適度な運動で効率的に運動効果を得ることができる。
【０００９】
また、前記の目的を図るために、本考案は、上記枢軸回転管が上端に１つのハンドルロッドを有することにより、両手でハンドルロッドを握り、バランスを取りながら効率良く運動を行うことができる。
【００１０】
以下に添付図面を参照して本考案のある好適な実施の形態を詳細に説明するが、それらの構成は本考案の構造の絶対的な制限にならない。
【００１１】
【考案の実施の形態】
図１は、本考案の第１実施例に係る足踏み健康器を示す分解斜視図である。図２は、足踏み健康器を示す斜視図である。図３は、足踏み健康器を上から見た図である。図４は、足踏み健康器を横から見た図である。図１、２、３、４は、本考案の足踏み健康器の立体スウィング構造を示す実施例である。足踏み健康器は１つの基座１０を有し、基座１０は上部に左右それぞれに踏み板１１、１２を有する。２つの踏み板１１、１２は、それぞれＶ型の支柱アーム１３により１つの可動管１４上に固定設置されている。これにより、２つの踏み板１１、１２は可動管１４を支点とし、相対的に垂直方向に回転スウィングを行なうことができる。更に、ストッパー１５を組み込むことで踏み板１１、１２を踏む時、予設の抵抗力を具備することができる。
【００１２】
可動管１４は、基座１０上に垂直に設置される１つの枢軸回転管１６の１つの側から水平方向に伸びる軸ロッド１６１に枢軸設置されることにより、回転でき、軸ロッド１６１が挿入される側の反対の側に可動管端部１４１を有する。可動管端部１４１の側の下端には、下向きに設置される１つのスウィングアーム１７を有する。スウィングアーム１７の底端は、１つの第一全方向枢軸結合アセンブリ２１により、１つの連動ロッド３０の一端と（広範囲の連結角度で）枢軸連結される。連動ロッド３０は、可動管１４の軸方向と直角に設置されるのがよく、連動ロッド３０のもう一端は１つの第二全方向枢軸結合アセンブリ２２により、基座１０上にある１つの固定部１８と枢軸連結される。
【００１３】
垂直に設置される枢軸回転管１６には、底端に１つの細径部１６２を有し、細径部１６２は底端面に１つのネジ穴１６３を有する。更に、基座１０の中央に１つの座管１０１が垂直方向に設置され、座管１０１内に少なくとも１つ以上のベアリング１０２が設置されている。枢軸回転管１６の細径部１６２は、座管１０１のベアリング１０２内に嵌入させることができる。更に、１つのボルト１０３をワッシャー１０４及び座管１０１内のベアリング１０２に貫通させ、ネジ穴１６３とネジ結合させることにより、枢軸回転管１６を基座１０上に設置、且つ、安定回転させることができる。
【００１４】
枢軸回転管１６は軸ロッド１６１が設置される下方に間隔を開けて、１つのＴ型ロッド６０を設置してもよく、Ｔ型ロッド６０と軸ロッド１６１の間に１つの補強プレート７０を設置し、補強プレート７０とＴ型ロッド６０のそれぞれの両端の相対する適当な位置に設置孔７１、６１を設け、ストッパー１５の下端を設置孔７１と設置孔６１の間に設置し、ボルト６２により、枢軸固定することができる。足踏み健康器は上記構成により、機能性を向上させ、適度な運動で効率的に運動効果を得ることができる。
【００１５】
図５は、足踏み健康器の使用例を示す図である。図６は、図５に示す足踏み健康器を示す側面図である。図７は、足踏み健康器の他の使用例を示す図である。図８は、図７に示す足踏み健康器を示す側面図である。上記に示す構造により、使用者に踏まれ、２つの上記踏み板１１、１２が上下に往復移動する時、踏み板１１、１２に連結する可動管１４は同時に軸ロッド１６１を軸として回転し、可動管１４に連結する可動管１４下方のスウィングアーム１７も同調して可動管１４を軸として往復スウィングする。しかしながら、スウィングアーム１７底端は、連動ロッド３０の一端に枢軸固定され、連動ロッド３０のもう一端は基座１０の固定部１８に枢軸固定されている為、反作用により、可動管１４の可動管端部１４１が枢軸回転管１６を中心とし、左右にスウィング構造で、図５、６に示すように、使用者が左側の踏み板１１を踏んだ時、可動管１４の可動管端部１４１は上から見て、時計回り方向にスウィングする。図７、８に示すように、使用者が右側の踏み板１２を踏んだ時、可動管１４の可動管端部１４１は上から見て、逆時計回り方向にスウィングし、上記により、足踏み健康器は足踏み動作に回転スウィングを加えた垂直及び水平方向の立体的動作形式を具備することができる。
【００１６】
図９は、本考案の第２実施例に係る足踏み健康器を示す分解斜視図である。図９に示すように、枢軸回転管１６は上端に１つのハンドルロッド５０を有することも可能である。これにより、使用者は両手でハンドルロッド５０を握り、バランスを取りながら効率良く運動を行うことができる。図１０は、本考案の第３実施例に係る足踏み健康器を示す分解斜視図である。図１０に示すように、ハンドルロッド５０１を直接基座１０上に設置し、図９と反対方向で実施することにより、図９と反対方向の足踏みの効果を得ることができる。
【００１７】
従って、上記構成により、垂直及び水平方向の立体的動作形式を具備することができる創意工夫のある足踏み健康器を提供することができる。このような立体的動作形式を具備することができる構造により、本考案の足踏み健康器は、単調な上下往復動作の運動から、趣味、遊び、運動等の使用目的が広がり、消費者に使用目的の選択肢が広い足踏み健康器を提供することができる。従って、立体的動作形式を具備する本考案の足踏み健康器は、使用目的の選択肢を広げ、適度な運動で効率的に運動効果を得ることができる。
【００１８】
尚、本考案の足踏み健康器は上記の構成に限定されることなく、本考案の足踏み健康器を変形及び改良した構成においても適応可能である。
【００１９】
【考案の効果】
前記の説明と図面の掲載からわかるように、本考案の足踏み健康器において、使用目的の選択肢を広げ、適度な運動で効率的に運動効果を得ることができる。
【図面の簡単な説明】
【図１】本考案の第１実施例に係る足踏み健康器を示す分解斜視図である。
【図２】足踏み健康器を示す斜視図である。
【図３】足踏み健康器を上から見た図である。
【図４】足踏み健康器を横から見た図である。
【図５】足踏み健康器の使用例を示す図である。
【図６】図５に示す足踏み健康器を示す側面図である。
【図７】足踏み健康器の他の使用例を示す図である。
【図８】図７に示す足踏み健康器を示す側面図である。
【図９】本考案の第２実施例に係る足踏み健康器を示す分解斜視図である。
【図１０】本考案の第３実施例に係る足踏み健康器を示す分解斜視図である。
【符号の説明】
１０　　　　　基座
１１、１２　　踏み板
１３　　　　　支柱アーム
１４　　　　　可動管
１５　　　　　ストッパー
１６　　　　　枢軸回転管
１７　　　　　スウィングアーム
１８　　　　　固定部
２１　　　　　第一全方向枢軸結合アセンブリ
２２　　　　　第二全方向枢軸結合アセンブリ
６０　　　　　Ｔ型ロッド
６１、７１　　設置孔
６２　　　　　ボルト
７０　　　　　補強プレート
１０１　　　　座管
１０２　　　　ベアリング
１４１　　　　可動管端部
１６１　　　　軸ロッド
１６２　　　　細径部
１６３　　　　ネジ穴
５０１　　　　ハンドルロッド
【図１】
0003097994.tif 000003
【図２】
0003097994.tif 000004
【図３】
0003097994.tif 000005
【図４】
0003097994.tif 000006
【図５】
0003097994.tif 000007
【図６】
0003097994.tif 000008
【図７】
0003097994.tif 000009
【図８】
0003097994.tif 000010
【図９】
0003097994.tif 000011
【図１０】
0003097994.tif 000012